(57)【要約】【課題】留守録機能等により音声メッセージが登録されたときに端末の使用者にメッセージが登録されたことを報知する機能を備えた構内交換機を提供する。【解決手段】録音再生手段１８を有する構内無線システムの構内交換機において、制御部１１は留守録機能により録音再生手段１８に音声メッセージを録音した場合、当該メッセージの宛先となる留守録利用者携帯機１６に対して着信電文を送信する。このとき制御部１１は、着信電文の発信番号として音声メッセージの存在を示すキャラクタコード例えば「ルスロクアリ」を設定する。着信電文を受けた携帯機１６は、応答信号を制御部１１へ送信すると共に発番号のキャラクタコード「ルスロクアリ」を発信者番号と認識し、そのまま携帯機１６の表示部に表示する。留守録利用者は、携帯機１６の表示部に表示されたキャラクタコード「ルスロクアリ」を見ることで自分宛に留守録があることを認識する。【選択図】図１
2010288074.tif 000002
【特許請求の範囲】
【請求項１】
録音再生手段を有する構内無線システムの構内交換機において、
前記録音再生手段に音声メッセージが録音された場合、当該音声メッセージの宛先となる端末に対して着信信号を送信する手段と、
前記端末から着信信号に対する応答信号が返ってこない場合に前記端末への着信信号の送信を所定時間毎に繰り返して実行するリトライ手段を備え、
前記着信信号は、発信元番号として前記音声メッセージが録音されたことを示すキャラクタコードであることを特徴とする構内交換機。
【発明の詳細な説明】
【技術分野】
【０００１】
本発明は、録音再生手段を有する構内無線システムの構内交換機に関する。
【背景技術】
【０００２】
従来、ＰＨＳ等の移動体通信にあっては、制御局と接続された複数の基地局がそれぞれ所定の通信エリアを管轄し、通信エリア内の移動機（携帯機）と一般電話との通信を可能としているが、移動機が通信エリア外へ移動した場合等に通信が不能となることから、移動機の受信不能時等の呼出に応答して伝言メッセージを録音する留守番電話サービスを行っている（例えば、特許文献１参照。）。
【０００３】
また、企業などで内線電話同士の接続や加入者電話網などの公衆回線への接続を行う構内無線システムの構内交換機においても、携帯機の受信不能時等の呼出に応答して発信者の音声メッセージを録音する留守録機能（留守番電話の録音機能）や伝言メッセージを録音する伝言板機能を備えている。
【０００４】
図１は本発明の対象とする構内無線システムにおける構内交換機の構成を示すブロック図である。この構内交換機は、制御部１１、タイムスイッチ１２、予め録音した特定の音声（アナウンス）を送信するアナウンス送信手段１３、回線インタフェース部１４、基地局１５、携帯機（端末）１６、有線電話機１７、録音再生手段１８等で構成される。
【０００５】
上記制御部１１は、マイクロプロセッサ及びその周辺回路、メモリ等で構成され、タイムスイッチ１２、アナウンス送信手段１３、回線インタフェース部１４を制御するプログラムを備えており、通常は携帯機１６に着信をかけると該携帯機１６は応答（オフフック操作）するが、一時的に不在等により応答できない場合、ユーザが留守録の設定操作（特番ダイヤル）をすることで、その携帯機１６に着信があると、その着信先を留守録手段の方へ転送し、その人宛の音声メッセージを録音する制御も行う。更に、制御部１１は、ユーザが留守録内容の再生操作（特番ダイヤル）をすると、録音再生手段１８から音声メッセージを再生してユーザに聞かせる制御を行う。また、制御部１１は、伝言板機能における伝言メッセージの録音制御及び再生制御も行う。
【０００６】
タイムスイッチ１２は、入力ハイウエイ、出力ハイウエイと接続され、ハイウエイのタイムスロット毎に時分割交換を行うスイッチであり、制御部１１により動作設定を行う。上記入力ハイウエイ及び出力ハイウエイは全ての回線インタフェース部と接続されており、任意のハイウエイのタイムスロットを任意のハイウエイのタイムスロットに交換（接続）できる。上記ハイウエイには音声信号（ＰＣＭ符号）を伝える。
【０００７】
回線インタフェース部１４は、複数の基地局１５、複数の有線電話機１７、録音再生手段１８と、制御部１１及びタイムスイッチ１２を接続するためのインタフェース回路であり、制御信号とハイウエイが接続されており、基地局回線との制御信号は発信、着信など公知技術（ＰＨＳ標準規格  ＳＴＤ−２８）の呼制御信号を伝える。
【０００８】
有線電話機１７は、２線式アナログ電話機で複数設けられる。
アナウンス送信手段１３は、ＰＣＭ符号化された音声（アナウンス）が格納された不揮発性メモリと、そのメモリからＰＣＭ符号データをハイウエイに送出する回路で構成され、制御部１１が呼接続の制御をするにあたり、特定の条件のときに発信者に聞かせるアナウンスを不揮発性メモリに保持している。アナウンス送信手段１３は、タイムスイッチ１２に接続され、制御部１１からの指示により例えば「お掛けになった電話は、圏外にいるか電源が入っていないため掛かりません。」等の音声アナウンスをハイウエイに流すことができる。
【０００９】
録音再生手段１８は、制御部１１からの着信に対して自動応答し、応答後（回線接続後）に制御部１１から予め決められたダイヤル（ＰＢ）信号を受けることにより、入力された音声メッセージを録音したり、録音した音声メッセージを再生したりする。
携帯機１６は、テンキー等の操作部、ＬＣＤ表示部、無線通信部、制御部等で構成される一般の無線（ＰＨＳ等）携帯機であり、制御部１１から着信があると、その着信電文に含まれる発番号情報（発信者の内線番号）をＬＣＤ表示部に表示し、どこから電話が掛かってきたかを知ることができるが、携帯機本体の電源を入れていなければ機能しない。
【００１０】
上記特番（特定番号）には、（１）留守録設定特番、（２）留守録再生特番、（３）伝言メッセージ録音特番、（４）伝言メッセージ再生特番、などがある。
（１）留守録設定特番は、使用者がこれから留守（不在）になり、自分の携帯機１６に着信があっても応答できないとき、本特番をダイヤルすることで、以降自分の携帯機宛に着信がある場合、録音再生手段１８に転送して留守録をさせるための番号である。
【００１１】
（２）留守録再生特番は、使用者が留守（不在）から戻り、録音再生手段１８に録音された音声メッセージを聞くための番号である。
（３）伝言メッセージ録音特番は、使用者Ａが使用者Ｂに電話をかけて用件を伝えたいが、使用者Ｂが話中、応答してくれない、等の理由で用件を伝えることができないとき、使用者Ａが「本特番＋使用者Ｂの内線番号」をダイヤルすることで、録音再生手段１８に伝言メッセージを録音することができる。
【００１２】
（４）伝言メッセージ再生特番は、使用者Ｂが本特番をダイヤルすることで、録音再生手段１８に録音された伝言メッセージを聞くことができる。
次に上記のように構成された構内交換機における従来の留守録機能及び伝言板機能の処理、すなわち、
［１．留守録設定処理］
［２．音声メッセージ録音処理］
［３．留守録再生処理］
［４．伝言メッセージ録音処理］
［５．伝言メッセージ再生処理］
の動作を説明する。
［１．留守録設定処理］
図５は従来の構内交換機における留守録設定動作を示すシーケンス図である。
【００１３】
留守録利用者により留守録設定特番がダイヤル発信されると（ステップＡ１）、制御部１１は発信者が留守録のサービスを受けたいものと判断し、これ以降任意の携帯機１６／有線電話機１７から留守録利用者の内線番号に対して着信がある場合、任意の携帯機１６／有線電話機１７の回線を録音再生手段１８の回線に接続（転送）するように認識する（ステップＡ２）。すなわち、制御部１１は例えば内線番号１２３の携帯機１６ａから発信された留守録設定特番を受信すると、それ以後、発信者内線番号１２３に対して着信がある場合、その着信を録音再生手段１８の回線へ転送するように認識する。制御部１１は、その後、上記携帯機１６ａとの回線を切断する（ステップＡ３）。
［２．音声メッセージ録音処理］
図６は従来の構内交換機の留守録機能により音声メッセージを録音する場合の処理を示すシーケンス図である。
【００１４】
制御部１１は、任意の携帯機１６／有線電話機１７から留守録利用者の内線番号に対して着信がある場合（ステップＢ１）、録音再生手段１８の回線に着信を行う（ステップＢ２）。録音再生手段１８は制御部１１からの着信に対して自動応答（オフフック）する（ステップＢ３）。これにより制御部１１は録音再生手段１８の回線に対し録音を開始するようＰＢ信号を送信する（ステップＢ４）。
【００１５】
次に制御部１１はアナウンス送信手段１３と発信者回線を接続して発信者に「メッセージをどうぞ」のアナウンスを流し、その後、発信者と録音再生手段１８の音声回線を接続する（タイムスイッチ１２の設定による）（ステップＢ５）。発信者が上記アナウンスに従ってメッセージを発声すると（ステップＢ６）、その音声メッセージが任意の携帯機１６／有線電話機１７から録音再生手段１８へ送られ（ステップＢ７）、該録音再生手段１８にて録音される（ステップＢ８）。その後、発信者が自己の携帯機１６／有線電話機１７をオンフックすると（ステップＢ９）、携帯機１６／有線電話機１７と制御部１１との回線が切断され（ステップＢ１０）、続いて制御部１１と録音再生手段１８との回線が切断される（ステップＢ１１）。これにより録音再生手段１８は、録音動作を終了する。
［３．留守録再生処理］
図７は従来の構内交換機の留守録機能により録音された音声メッセージを再生する場合の処理を示すシーケンス図である。
【００１６】
留守録利用者は、留守録の音声メッセージがあるかどうか確認（あれば聞く）する場合、携帯機１６ａから留守録再生特番をダイヤルする（ステップＣ１）。この留守録再生特番は、基地局１５及び回線インタフェース部１４を経由して制御部１１へ送られる。制御部１１は留守録再生特番を受信すると、録音再生手段１８に着信をかけ（ステップＣ２）、録音再生手段１８は着信に対して自動応答（オフフック）する（ステップＣ３）。これにより制御部１１は録音再生手段１８の回線に対して録音内容を再生するようＰＢ信号を送信し（ステップＣ４）、また、発信者（留守録利用者携帯機回線）と録音再生手段１８の音声回線（ハイウエイ）を接続する（タイムスイッチ１２の設定による）（ステップＣ５）。上記の処理によって録音再生手段１８が再生動作し（ステップＣ６）、該録音再生手段１８に音声メッセージが録音されていれば、その音声メッセージが留守録利用者携帯機１６ａへ送られ（ステップＣ７）、留守録利用者は発信者からの音声メッセージを聞くことができる（ステップＣ８）。その後、留守録利用者が携帯機１６ａをオンフックすると（ステップＣ９）、該携帯機１６ａと制御部１１との回線が切断され（ステップＣ１０）、続いて制御部１１と録音再生手段１８との回線が切断され（ステップＣ１１）、録音再生手段１８は再生動作を終了する。
［４．伝言メッセージ録音処理］
伝言メッセージを録音する場合は、任意の携帯機１６／有線電話機１７から伝言メッセージ録音特番＋伝言通知先内線番号でダイヤル発信を行う。制御部１１は、伝言メッセージ録音特番を受信すると、録音再生手段１８の回線に着信をかけ、以下、上記図６に示した音声メッセージ録音の場合と同様の手段により、任意の携帯機１６／有線電話機１７からの伝言メッセージを録音再生手段１８に録音する。
［５．伝言メッセージ再生処理］
伝言メッセージを聞く利用者は、伝言メッセージがあるかどうか確認（あれば聞く）する場合、自己の携帯機から伝言メッセージ再生特番をダイヤルする。制御部１１は伝言メッセージ再生特番を受信すると、録音再生手段１８に着信をかけ、録音内容を再生するように指示（ＰＢ信号送信）する。以下、図７に示した留守録再生処理の場合と同様の手段により、利用者は発信者からの伝言メッセージを聞くことができる。
【先行技術文献】
【特許文献】
【００１７】
【特許文献１】特開平１０−１９０８４７号公報
【発明の概要】
【発明が解決しようとする課題】
【００１８】
上記従来の構内交換機では、留守録の音声メッセージや伝言メッセージが録音再生手段１８に録音されても、携帯機使用者に留守録があることや伝言メッセージがあることを知らせる機能を備えていない。このため携帯機使用者は、留守録のメッセージがあるかどうかを確認する場合には留守録再生特番をダイヤルし、また、伝言メッセージがあるかどうかを確認する場合には伝言メッセージ再生特番をダイヤルしなければならず、留守録や伝言メッセージの有無を確認する操作が非常に面倒であった。
【００１９】
本発明は上記の課題を解決するためになされたもので、留守録による音声メッセージが登録されたときや伝言メッセージが登録されたときに、メッセージが登録されたことを携帯端末使用者に知らせる機能を備えた構内交換機を提供することを目的とする。
【課題を解決するための手段】
【００２０】
本発明は、録音再生手段を有する構内無線システムの構内交換機において、前記録音再生手段に音声メッセージが録音された場合、当該音声メッセージの宛先となる端末に対して着信信号を送信する手段と、前記端末から着信信号に対する応答信号が返ってこない場合に前記端末への着信信号の送信を所定時間毎に繰り返して実行するリトライ手段を備え、前記着信信号は、発信元番号として前記音声メッセージが録音されたことを示すキャラクタコードであることを特徴とする。
【発明の効果】
【００２１】
本発明によれば、録音再生手段に留守録の音声メッセージや伝言メッセージが録音されたときに、当該音声メッセージの宛先となる端末に対して着信信号を送信し、前記着信信号の発信番号としてメッセージの存在を示すキャラクタコードを設定することにより、端末における発信者番号表示の機能を利用して上記キャラクタコードを端末の表示部に表示でき、メッセージの存在を利用者に確実に知らせることができる。このため端末使用者は留守録再生特番や伝言メッセージ再生特番等の面倒なダイヤル操作を行うことなく、メッセージの存在を容易に確認することができる。また、端末使用者は表示部に表示された内容から自分宛の音声メッセージがあることを認識した上で、再生操作を行うことができるので、音声メッセージの聞き忘れ、音声メッセージが録音されていないのにメッセージの再生操作を行うなどの誤りや煩わしさを解消することができる。
【００２２】
また、構内交換機から端末に音声メッセージがあることを通知するための着信電文を送出したときに、端末の電源がＯＦＦされていたり、携帯機が圏外にいたりして着信電波が届かない場合、周期的に上記着信電文を繰り返し送出することで、端末が着信信号を受信できる状態に復帰した際に、着信電文のキャラクタコードを端末の表示部に表示させて利用者にメッセージがあることを確実に知らせることができる。
【図面の簡単な説明】
【００２３】
【図１】本発明の対象とする構内交換機の構成を示すブロック図である。
【図２】本発明の実施例１に係る構内交換機の留守録機能により音声メッセージを録音する場合の処理を示すシーケンス図である。
【図３】同実施例１に係る構内交換機の伝言板機能により伝言メッセージを録音する場合の処理を示すシーケンス図である。
【図４】同実施例１に係る構内交換機において、制御部から留守録利用者の携帯機へ留守録有りの通知をリトライする場合のシーケンス図である。
【図５】従来の構内交換機における留守録設定動作を示すシーケンス図である。
【図６】従来の構内交換機の留守録機能により音声メッセージを録音する場合の処理を示すシーケンス図である。
【図７】従来の構内交換機の留守録機能により録音された音声メッセージを再生する場合の処理を示すシーケンス図である。
【発明を実施するための形態】
【００２４】
以下、本発明の実施の形態について、詳細に説明する。
【実施例１】
【００２５】
本発明に係る構内交換機の構成は、前述した図１の構成と同様であるので詳細な説明は省略する。
以下、本発明の実施例１に係る構内交換機の留守録機能及び伝言板機能の処理、すなわち、
［１．留守録設定処理］
［２．音声メッセージ録音処理］
［３．留守録再生処理］
［４．伝言メッセージ録音処理］
［５．伝言メッセージ再生処理］
［６．留守録の通知リトライ処理］
［７．伝言メッセージの通知リトライ処理］
の動作を説明する。
［１．留守録設定処理］
本実施例１における留守録設定の処理は、図５に示した従来の留守録設定と同様であり、留守録利用者により留守録設定特番がダイヤル発信されると、構内交換機の制御部１１は発信者が留守録のサービスを受けたいものと判断し、これ以降任意の携帯機１６／有線電話機１７から留守録利用者の内線番号に対して着信がある場合、当該携帯機１６／有線電話機１７の回線を録音再生手段１８の回線に接続（転送）するように認識する。
［２．音声メッセージ録音処理］
図２は録音再生手段１８における音声メッセージ録音のシーケンス図である。
【００２６】
この音声メッセージ録音のシーケンス図において、任意の携帯機１６／有線電話機１７から例えば内線番号「１２３」の留守録利用者携帯機１６ａに対して着信があった場合、制御部１１の制御により発信者からの音声メッセージを録音再生手段１８に録音して回線を切断するまでのステップＢ１〜ステップＢ１１の処理は、図６に示した従来の音声メッセージ録音の処理と同様であるので詳細な説明は省略する。
【００２７】
本発明に係る実施例１では、ステップＢ１０、Ｂ１１による回線切断後、留守録利用者に着信電文を送信する（ステップＢ１２）。着信電文の着番号は留守録利用者携帯機１６ａの内線番号「１２３」であり、発番号は通常であれば発信者の内線番号を設定するが、ここでは発信者の内線番号に代えて「留守録有り」を示すキャラクタコード例えば「ルスロクアリ」を設定する。
【００２８】
この着信電文（呼設定）を受けた留守録利用者携帯機１６ａは、呼設定受付の応答信号を制御部１１へ送信する（ステップＢ１３）と共に発番号のキャラクタコード「ルスロクアリ」を発信者番号と認識し、そのままＬＣＤ表示部に表示する（ステップＢ１４）。従って、留守録利用者は、携帯機１６ａのＬＣＤ表示部に表示されたキャラクタコード「ルスロクアリ」を見ることで自分宛に留守録があると認識することができる。
［３．留守録再生処理］
留守録を再生する場合の操作及び処理動作は、図７に示した従来の留守録再生処理と同様であるので詳細な説明は省略するが、留守録利用者は留守録再生特番をダイヤルすることで発信者からの音声メッセージを聞くことができる。
【００２９】
この場合、実施例１に係る発明では、留守録利用者は携帯機１６ａのＬＣＤ表示部に表示された内容から自分宛の留守録があることを認識した上で、留守録の再生操作を行うことができるので、留守録の聞き忘れ、留守録が入っていないのに留守録の再生操作を行うなどの誤りや、煩わしさを解消することができる。
［４．伝言メッセージ録音処理］
図３は録音再生手段１８に伝言メッセージを録音する場合の処理を示すシーケンス図である。
【００３０】
伝言メッセージを録音する場合は、任意の携帯機１６／有線電話機１７から「伝言メッセージ録音特番＋伝言通知先内線番号（例えば５６７）」でダイヤル発信を行う（ステップＤ１）。制御部１１は伝言メッセージ録音特番を受信すると、録音再生手段１８の回線に着信をかけ（ステップＤ２）、録音再生手段１８は着信に対して自動応答（オフフック）する（ステップＤ３）。制御部１１は、録音再生手段１８からの応答信号を受信すると、録音再生手段１８の回線に対して録音を開始するようＰＢ信号を送信する（ステップＤ４）。
【００３１】
次に制御部１１は、アナウンス送信手段１３と発信者回線を接続して発信者に「メッセージをどうぞ」のアナウンスを流し、その後、発信者と録音再生手段１８の音声回線をタイムスイッチ１２の設定によって接続する（ステップＤ５）。発信者が上記アナウンスに従ってメッセージを発声すると（ステップＤ６）、その音声メッセージが任意の携帯機１６／有線電話機１７から録音再生手段１８へ送られ（ステップＤ７）、該録音再生手段１８にて録音される（ステップＤ８）。その後、発信者が携帯機１６／有線電話機１７をオンフックすると（ステップＤ９）、携帯機１６／有線電話機１７と制御部１１との回線が切断され（ステップＤ１０）、続いて制御部１１と録音再生手段１８との回線が切断される（ステップＤ１１）。これにより録音再生手段１８は、録音動作を終了する。
【００３２】
制御部１１は、上記録音再生手段１８との回線を切断後、内線番号５６７の伝言メッセージを聞く携帯機１６ｂに着信電文を送信する（ステップＤ１２）。着信電文の着番号は伝言メッセージを聞く携帯機１６ｂの内線番号５６７であり、発番号は通常であれば発信者の内線番号を設定するが、ここでは発信者の内線番号に代えて「伝言有り」を示すキャラクタコード例えば「デンゴンアリ」を設定する。
【００３３】
この着信電文（呼設定）を受けた携帯機１６ｂは、呼設定受付の応答信号を制御部１１へ送信する（ステップＤ１３）と共に発番号のキャラクタコードを発信者番号と認識し、そのままＬＣＤ表示部に表示する（ステップＤ１４）。伝言メッセージを聞く携帯機１６ｂの使用者は、ＬＣＤ表示部に表示されたキャラクタコード「デンゴンアリ」を見ることで自分宛に伝言メッセージがあると認識することができる。
［５．伝言メッセージ再生処理］
伝言メッセージを再生する場合の操作及び処理動作は、従来の伝言メッセージ再生処理と同様であるので詳細な説明は省略するが、伝言メッセージを聞く利用者は携帯機１６ｂから伝言メッセージ再生特番をダイヤルすることで発信者からの伝言メッセージを聞くことができる。
【００３４】
この場合、本実施例１に係る発明では、伝言メッセージを聞く利用者は携帯機１６ｂのＬＣＤ表示部に表示された内容から自分宛の伝言メッセージがあることを認識した上で、伝言メッセージの再生操作を行うことができるので、伝言メッセージの聞き忘れ、伝言メッセージが入っていないのに伝言メッセージの再生操作を行うなどの誤りや、煩わしさを解消することができる。
［６．留守録の通知リトライ処理］
図４は制御部１１から例えば内線番号１２３の留守録利用者の携帯機１６ａへ「留守録有り」の通知をリトライする場合のシーケンス図である。
【００３５】
この実施例１の発明では、留守録が行われた場合、上記したように留守録利用者の携帯機１６ａに対し、発番号にキャラクタコードで「ルスロクアリ」と設定した着信電文を送信する（ステップＥ１）。しかし、着信電文を送信するときに、留守録利用者の携帯機１６ａの電源がＯＮになっていなかったり、携帯機１６ａが通信圏外に移動していたりして、通信不能の場合がある。このため制御部１１は、留守録利用者の携帯機１６ａに着信電文（呼設定）を送信した後、一定時間内に携帯機１６ａから呼設定受付が返ってこなければ、携帯機１６ａのＬＣＤ表示部に「ルスロクアリ」の表示がされなかったものと判断し、ソフトタイマ（内部タイマ）を起動する（ステップＥ２）。その後、制御部１１はソフトタイマがタイムアップしたかどうかを判定し（ステップＥ３）、ソフトタイマがタイムアップすると、留守録利用者の携帯機１６ａに着信電文（呼設定）を再度送信する（ステップＥ４）。
【００３６】
制御部１１は、留守録利用者の携帯機１６ａから呼設定受付が返ってくるまで上記のリトライ処理、即ち着信電文（呼設定）の送信及びソフトタイマの起動処理を繰り返して実行する。
その後、留守録利用者の携帯機１６ａが電源ＯＮ、あるいは通信圏内に復帰するなどして通信可能となり、この状態で制御部１１から着信電文（呼設定）が送信されると（ステップＥ７）、当該携帯機１６ａは着信電文（呼設定）を受付けて呼設定受付の応答信号を制御部１１へ送信し（ステップＥ８）、次いで着信電文における発番号のキャラクタコード（ルスロクアリ）を発信者番号と認識し、そのままＬＣＤ表示部に「ルスロクアリ」を表示する（ステップＥ９）。
【００３７】
制御部１１は、上記ステップＥ８にて留守録利用者の携帯機１６ａから呼設定受付が返ってくると、携帯機１６ａに正常に着信電文（呼設定）が届いてＬＣＤ表示部に「ルスロクアリ」の表示がされたものと判断し、ソフトタイマを起動せず、リトライ動作を終了する（ステップＥ１０）。
［７．伝言メッセージの通知リトライ処理］
図３に示した［４．伝言メッセージ録音処理］において、ステップＤ１〜ステップＤ１１の処理により録音再生手段１８に音声メッセージが録音されて回線が切断された後、制御部１１はステップＤ１２において伝言メッセージを聞く携帯機１６ｂに着信電文を送信する。しかし、このとき伝言メッセージを聞く携帯機の電源がＯＮになっていなかったり、通信圏外に移動していたりして通信不能の場合がある。
【００３８】
このため制御部１１は、携帯機１６ｂに着信電文（呼設定）を送信した後に、該携帯機１６ｂから呼設定受付が返ってくれば、携帯機１６ｂに着信電文（呼設定）が正常に届いてＬＣＤ表示部に「デンゴンアリ」の表示がされたものと判断し、また、携帯機１６ｂから呼設定受付が返ってこなければＬＣＤ表示部に「デンゴンアリ」の表示がされなかったものと判断してリトライ処理を行う。
【００３９】
上記伝言メッセージの通知リトライ処理は、図４で説明した留守録の通知リトライ処理と同様であり、着信電文（呼設定）を送信した後、一定時間以内に携帯機１６ｂから呼設定受付が返ってこない場合はソフトタイマを起動し、ソフトタイマがタイムアップすれば再度着信電文（呼設定）を送信する処理を繰り返して実行し、携帯機１６ｂから呼設定受付が返ってくれば該携帯機１６ｂに正常に着信電文（呼設定）が届いてＬＣＤ表示部に「デンゴンアリ」の表示がされたものと判断して処理を終了する。
【００４０】
上記実施例１によれば、構内交換機に設けられた録音再生手段１８に留守録の音声メッセージや伝言メッセージが録音されたときに、制御部１１から当該音声メッセージの宛先となる携帯機に対して着信信号を送信し、前記着信信号の発信番号としてメッセージの存在を示すキャラクタコード（文字）を設定することにより、携帯機における発信者番号表示の機能を利用して上記キャラクタコードを携帯機の表示部に表示でき、メッセージの存在を利用者に確実に知らせることができる。このため留守録利用者は留守録再生特番や伝言メッセージ再生特番等の面倒なダイヤル操作を行うことなく、メッセージの存在を容易に確認することができる。
【００４１】
また、制御部１１から携帯機に留守録や伝言メッセージがあることを通知するための着信電文を送出したときに、携帯機の電源がＯＦＦされていたり、携帯機が圏外にいたりして着信電波が届かない場合、制御部１１は携帯機からの応答がないことを検出して内部タイマを設定し、周期的に上記着信電文を繰り返し送出することで、携帯機が着信信号を受信できる状態に復帰した際に、着信電文のキャラクタコードを携帯機の表示部に表示させて利用者に音声メッセージがあることを確実に知らせることができる。
【００４２】
なお、本発明は、上記実施の形態そのままに限定されるものではなく、実施段階ではその要旨を逸脱しない範囲で構成要素を変形して具体化できるものである。
【符号の説明】
【００４３】
１１…制御部、１２…タイムスイッチ、１３…アナウンス送信手段、１４…回線インタフェース部、１５…基地局、１６、１６ａ、１６ｂ…携帯機、１７…有線電話機、１８…録音再生手段。
【図１】
2010288074.tif 000003
【図２】
2010288074.tif 000004
【図３】
2010288074.tif 000005
【図４】
2010288074.tif 000006
【図５】
2010288074.tif 000007
【図６】
2010288074.tif 000008
【図７】
2010288074.tif 000009